(57)【要約】【課題】実用性の高い態様で光漏れを抑制可能とするロールスクリーンを提供する。【解決手段】本発明のロールスクリーン１は、巻取パイプ３の上側に発生する光漏れを抑制する遮光フィン９を備える。遮光フィン９の軸部９１は固定手段（取付フレーム２又は支持部材２ａ，２ｂ等）と巻取手段（巻取パイプ３）との間の少なくとも仰角０度以上の直接入射光を防止し、且つ下限から所定の高さまで当該スクリーンとは接触しないよう、当該固定手段に上下方向に可動に軸支されている。また、一態様の遮光フィン９は、当該スクリーンとはその最大巻取径時にも非接触とし、更には当該スクリーンの錘部材との干渉により緩やかに回動する構成が好適である。また、一態様の遮光フィン９は、操作コードの引き操作時に当該操作コードが遮光フィン９と当接したとき当該操作コードのテンションにより回動する構成とするのが好適である。【選択図】図１７
2020041421.tif 000002
【特許請求の範囲】
【請求項１】
スクリーンを昇降させて室内への採光量を調節可能とするロールスクリーンであって、
スクリーンを巻き取り可能に吊下支持する巻取手段と、
前記巻取手段を支持する固定手段と、
前記巻取手段の上側に発生する光漏れを抑制する遮光フィンとを備え、
前記遮光フィンは、前記固定手段と前記巻取手段との間の少なくとも仰角０度以上の直接入射光を防止し、且つ下限から所定の高さまで前記スクリーンとは接触しないよう、前記固定手段に上下方向に可動に軸支されていることを特徴とするロールスクリーン。
【請求項２】
スクリーンを昇降させて室内への採光量を調節可能とするロールスクリーンであって、
スクリーンを巻き取り可能に吊下支持する巻取手段と、
前記巻取手段を支持する固定手段と、
前記巻取手段の上側に発生する光漏れを抑制する遮光フィンとを備え、
前記遮光フィンは、前記スクリーンとはその最大巻取径時にも非接触となるよう前記固定手段に回動可能に軸支されていることを特徴とするロールスクリーン。
【請求項３】
前記遮光フィンの回動範囲を規制するための回動規制部が、前記遮光フィンと前記固定手段のいずれか一方、又は双方に対して、一部位として或いは別部材として設けられていることを特徴とする、請求項１又は２に記載のロールスクリーン。
【請求項４】
前記回動規制部により、前記スクリーンの最大巻取径時における前記遮光フィンと前記スクリーンの周面との間隔を設けるよう前記遮光フィンの角度が調整されていることを特徴とする、請求項３に記載のロールスクリーン。
【請求項５】
スクリーンを昇降させて室内への採光量を調節可能とするロールスクリーンであって、
スクリーンを巻き取り可能に吊下支持する巻取手段と、
前記巻取手段を支持する固定手段と、
前記巻取手段の上側に発生する光漏れを抑制する遮光フィンとを備え、
前記遮光フィンは、前記スクリーンの錘部材との干渉により緩やかに回動するよう前記固定手段に回動可能に軸支されていることを特徴とするロールスクリーン。
【請求項６】
前記遮光フィンは、自重降下を妨げない抵抗を有して、前記固定手段に回動可能に軸支されていることを特徴とする、請求項５に記載のロールスクリーン。
【請求項７】
前記遮光フィンの回動時の速度を低減するための回動減速部が、前記遮光フィンに設けられていることを特徴とする、請求項５又は６に記載のロールスクリーン。
【請求項８】
前記回動減速部は、前記遮光フィンの回動時の振動を低減するダンパー作用を有することを特徴とする、請求項７に記載のロールスクリーン。
【請求項９】
前記回動減速部は、前記遮光フィンの軸部に対して貼付した部材で構成されているか、又は前記遮光フィンの軸部に対して一体成形されていることを特徴とする、請求項７又は８に記載のロールスクリーン。
【請求項１０】
前記回動減速部は、グリスダンパー、又はオイルダンパーにより構成されていることを特徴とする、請求項７又は８に記載のロールスクリーン。
【請求項１１】
操作コードにより巻き取り又は巻き戻すことによりスクリーンを昇降操作可能とするロールスクリーンであって、
スクリーンを巻き取り可能に吊下支持する巻取手段と、
前記スクリーンの巻き取り又は巻き戻しを操作コードにより操作可能とする操作手段と、
前記巻取手段を支持する固定手段と、
前記巻取手段の上側に発生する光漏れを抑制する遮光フィンとを備え、
前記遮光フィンは、前記巻取手段の前後方向にて当該操作コードの引き操作を行なう側に設けられるとともに、前記固定手段に対し直接的又は間接的に回動可能に支持され、該引き操作時に当該操作コードが前記遮光フィンと当接したとき当該操作コードのテンションにより回動するよう構成されていることを特徴とするロールスクリーン。
【請求項１２】
前記遮光フィンは、前記操作手段の少なくとも一部を覆うよう設けられていることを特徴とする、請求項１１に記載のロールスクリーン。
【請求項１３】
前記遮光フィンは、当該操作コードと当接可能とする曲面状に隆起させている曲面状隆起部を有することを特徴とする、請求項１１又は１２に記載のロールスクリーン。
【発明の詳細な説明】
【技術分野】
【０００１】
本発明は、スクリーンを昇降させて室内への採光量を調節可能とするロールスクリーンに関する。
【背景技術】
【０００２】
従来、スクリーンを昇降させて室内への採光量を調節可能とするロールスクリーンがある。
【０００３】
ロールスクリーンは、天井面等の取付面に対してブラケットを介して取着された枠体（例えば取付フレーム）により巻取パイプを支持し、スクリーンの上縁部を巻取パイプに取着して垂下させ、巻取パイプによってスクリーンの巻取り又は巻戻しを行うことにより室内への採光量を調節可能に構成される。
【０００４】
そこで、スクリーンを巻き取る巻取軸（即ち、巻取パイプ）と、この巻取パイプを支持する枠体の下面との間の隙間からの光漏れを防止するために、枠体の下面に基端縁を回動可能に支持して巻取パイプの周面上に垂下させる隙間防止部材を設ける技法が開示されている（例えば、特許文献１参照）。
【先行技術文献】
【特許文献】
【０００５】
【特許文献１】実公平４−４８３１６号公報
【発明の概要】
【発明が解決しようとする課題】
【０００６】
前述した特許文献１に開示される技法では、当該隙間防止部材により巻取軸と枠体（即ち、取付フレーム）の下面との間の隙間を塞ぐことができるため、スクリーンを下降させて遮蔽状態としているときの遮光性を高めることができる点で有効である。
【０００７】
しかしながら、特許文献１に開示される技法では、枠体の下面に取着された当該隙間防止部材は、錘部材（ウェイトバー）の衝突で破損するおそれのある構造をしており、改善の余地がある。また、スクリーンを比較的硬質な材料を用いて構成すると、このスクリーンが当該隙間防止部材に接触した際に、その接触音が操作者に不快感を生じさせることもあり、改善の余地がある。
【０００８】
本発明の目的は、上述の問題に鑑みて、実用性の高い態様で光漏れを抑制可能とするロールスクリーンを提供することにある。
【課題を解決するための手段】
【０００９】
本発明による一態様のロールスクリーンは、スクリーンを昇降させて室内への採光量を調節可能とするロールスクリーンであって、スクリーンを巻き取り可能に吊下支持する巻取手段と、前記巻取手段を支持する固定手段と、前記巻取手段の上側に発生する光漏れを抑制する遮光フィンとを備え、前記遮光フィンは、前記固定手段と前記巻取手段との間の少なくとも仰角０度以上の直接入射光を防止し、且つ下限から所定の高さまで前記スクリーンとは接触しないよう、前記固定手段に上下方向に可動に軸支されていることを特徴とする。
【００１０】
更に、本発明による更に別の一態様のロールスクリーンは、スクリーンを昇降させて室内への採光量を調節可能とするロールスクリーンであって、スクリーンを巻き取り可能に吊下支持する巻取手段と、前記巻取手段を支持する固定手段と、前記巻取手段の上側に発生する光漏れを抑制する遮光フィンとを備え、前記遮光フィンは、前記スクリーンとはその最大巻取径時にも非接触となるよう前記固定手段に回動可能に軸支されていることを特徴とする。
【００１１】
また、本発明による更に別の一態様のロールスクリーンにおいて、前記遮光フィンの回動範囲を規制するための回動規制部が、前記遮光フィンと前記固定手段のいずれか一方、又は双方に対して、一部位として或いは別部材として設けられていることを特徴とする。
【００１２】
また、本発明による更に別の一態様のロールスクリーンにおいて、前記回動規制部により、前記スクリーンの最大巻取径時における前記遮光フィンと前記スクリーンの周面との間隔を設けるよう前記遮光フィンの角度が調整されていることを特徴とする。
【００１３】
更に、本発明による更に別の一態様のロールスクリーンは、スクリーンを昇降させて室内への採光量を調節可能とするロールスクリーンであって、スクリーンを巻き取り可能に吊下支持する巻取手段と、前記巻取手段を支持する固定手段と、前記巻取手段の上側に発生する光漏れを抑制する遮光フィンとを備え、前記遮光フィンは、前記スクリーンの錘部材との干渉により緩やかに回動するよう前記固定手段に回動可能に軸支されていることを特徴とする。
【００１４】
また、本発明による更に別の一態様のロールスクリーンにおいて、前記遮光フィンは、自重降下を妨げない抵抗を有して、前記固定手段に回動可能に軸支されていることを特徴とする。
【００１５】
また、本発明による更に別の一態様のロールスクリーンにおいて、前記遮光フィンの回動時の速度を低減するための回動減速部が、前記遮光フィンに設けられていることを特徴とする。
【００１６】
また、本発明による更に別の一態様のロールスクリーンにおいて、前記回動減速部は、前記遮光フィンの回動時の振動を低減するダンパー作用を有することを特徴とする。
【００１７】
また、本発明による更に別の一態様のロールスクリーンにおいて、前記回動減速部は、前記遮光フィンの軸部に対して貼付した部材で構成されているか、又は前記遮光フィンの軸部に対して一体成形されていることを特徴とする。
【００１８】
また、本発明による更に別の一態様のロールスクリーンにおいて、前記回動減速部は、グリスダンパー、又はオイルダンパーにより構成されていることを特徴とする。
【００１９】
また、本発明による更に別の一態様のロールスクリーンにおいて、操作コードにより巻き取り又は巻き戻すことによりスクリーンを昇降操作可能とするロールスクリーンであって、スクリーンを巻き取り可能に吊下支持する巻取手段と、前記スクリーンの巻き取り又は巻き戻しを操作コードにより操作可能とする操作手段と、前記巻取手段を支持する固定手段と、前記巻取手段の上側に発生する光漏れを抑制する遮光フィンとを備え、前記遮光フィンは、前記巻取手段の前後方向にて当該操作コードの引き操作を行なう側に設けられるとともに、前記固定手段に対し直接的又は間接的に回動可能に支持され、該引き操作時に当該操作コードが前記遮光フィンと当接したとき当該操作コードのテンションにより回動するよう構成されていることを特徴とする。
【００２０】
また、本発明による更に別の一態様のロールスクリーンにおいて、前記遮光フィンは、前記操作手段の少なくとも一部を覆うよう設けられていることを特徴とする。
【００２１】
また、本発明による更に別の一態様のロールスクリーンにおいて、前記遮光フィンは、当該操作コードと当接可能とする曲面状に隆起させている曲面状隆起部を有することを特徴とする。
【発明の効果】
【００２２】
本発明によれば、錘部材（ウェイトバー）の衝突で破損するおそれのない構造で遮光フィンを取着し、巻取パイプと取付フレームとの間で生じる隙間からの光漏れを効果的に遮蔽することができる。また、遮光フィンと錘部材との衝突に係る接触音も低減させることができ、操作上の不快感を低減させることができる。また、スクリーンを比較的硬質な材料を用いて構成した場合に、このスクリーンが遮光フィンに接触した際の接触音を低減させることができる。
【図面の簡単な説明】
【００２３】
【図１】本発明による第１実施形態のロールスクリーンの概略構成を示す正面図である。
【図２】本発明による第１実施形態のロールスクリーンにおける遮光フィン周辺の概略構成を示す分解斜視図である。
【図３】本発明による第１実施形態のロールスクリーンにおける遮光フィンの構成を示す側面図である。
【図４】（ａ）,（ｂ）は、それぞれ本発明による第１実施形態のロールスクリーンにおける遮光フィンの動作を説明する側面図である。
【図５】（ａ）,（ｂ）は、それぞれ比較例の遮光フィンの構成とその動作を説明する側面図である。
【図６】（ａ），（ｂ），（ｃ）は、それぞれ本発明による第１実施形態のロールスクリーンにおける遮光フィンに係る支持部材とサイドカバーを説明する側面図である。
【図７】（ａ），（ｂ）は、それぞれ本発明による第１実施形態のロールスクリーンにおける遮光フィンに係るサイドカバーを説明する部分的な背面図及び側面図であり、（ｃ），（ｄ）は、それぞれ比較例のサイドカバーを説明する部分的な背面図及び側面図である。
【図８】本発明による第２実施形態のロールスクリーンの概略構成を示す正面図である。
【図９】本発明による第２実施形態のロールスクリーンの概略構成を示す部分的な側面透視図である。
【図１０】本発明による第３実施形態のロールスクリーンの概略構成を示す部分的な側面透視図である。
【図１１】（ａ），（ｂ）は、それぞれ本発明による各実施形態のロールスクリーンにおける遮光フィンの軸支構造に関する別例を示す側面図である。
【図１２】（ａ），（ｂ）は、それぞれ本発明による各実施形態のロールスクリーンにおける遮光フィンの軸支構造に関する更なる別例を示す側面図である。
【図１３】本発明による第４実施形態のロールスクリーンの構成を部分的に示す部分的な側面図である。
【図１４】本発明による第５実施形態のロールスクリーンの構成を部分的に示す部分的な側面図である。
【図１５】本発明による第６実施形態のロールスクリーンの概略構成を示す部分的な側面透視図である。
【図１６】（ａ），（ｂ）は、それぞれ本発明による各実施形態のロールスクリーンの変形例を包括的、且つ部分的に示す正面図及び斜視図である。
【図１７】（ａ）,（ｂ）は、それぞれ本発明による第１実施形態のロールスクリーンにおける遮光フィンに関する回動規制部及び回動減速部の有無を説明する側面図である。
【図１８】本発明による第１実施形態のロールスクリーンにおける遮光フィンに関する回動規制部及び回動減速部の位置を例示的に説明する斜視図である。
【図１９】本発明による第１実施形態のロールスクリーンにおける変形例の遮光フィンを説明する側面図である。
【図２０】本発明による第７実施形態のロールスクリーンの概略構成を部分的に示す正面図である。
【図２１】（ａ）,（ｂ），（ｃ）は、それぞれ本発明による第７実施形態のロールスクリーンにおける遮光フィンの動作を説明する図である。
【図２２】（ａ）,（ｂ），（ｃ）は、それぞれ本発明による第７実施形態のロールスクリーンにおける変形例の遮光フィンの動作を説明する図である。
【図２３】（ａ）,（ｂ），（ｃ）は、それぞれ本発明による第７実施形態のロールスクリーンにおける更なる変形例の遮光フィンを示す部分的な側面透視図である。
【発明を実施するための形態】
【００２４】
以下、図面を参照して、本発明による各実施形態のロールスクリーンを説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００２５】
〔第１実施形態〕
（全体構成）
まず、図１を参照して、本発明による第１実施形態のロールスクリーン１の構成を説明する。図１は、本発明による第１実施形態のロールスクリーン１の概略構成を示す正面図である。
【００２６】
図１に示すロールスクリーン１は、取付フレーム２の両端に支持部材２ａ，２ｂが固定され、その支持部材２ａ，２ｂから延びる固定軸（図示せず）によって、支持部材２ａ，２ｂ間に円筒状の巻取パイプ３が回転可能に支持される。取付フレーム２は、ブラケット６により取着面に固定される。各支持部材２ａ，２ｂは、サイドカバー１０によって収容され、後述するが、その意匠性と、遮光フィン９の回動動作に関する機能性を向上させている。
【００２７】
巻取パイプ３の右端部には操作プーリー８が設けられ、この操作プーリー８に掛回される無端状の操作コード７が垂下されている。そして、操作コード７の操作により巻取パイプ３を回転操作可能となるよう構成されており、操作コード７が掛回される操作プーリー８の表面は高摩擦性の表面形状を有する。尚、この操作コード７をボールチェーンで構成し、このボールチェーンが掛回される操作プーリー８の表面を、そのボールチェーンのボール部に適合する形状の凹凸を有するように構成することもできる。
【００２８】
巻取パイプ３は、スクリーン４の一端を取着して巻き取り可能に吊下支持している。スクリーン４の他端は、錘部材として機能するウェイトバー５に取着されている。従って、スクリーン４はウェイトバー５の重量に基づいて張設される。
【００２９】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。
【００３０】
また、巻取パイプ３内において、その左端側にはスクリーン４の巻上時の操作力を軽減するスプリングモーター、右端側にはスクリーン４の自重降下を防止するストッパー置等が収容されている（図示せず）。
【００３１】
そこで、本発明に係るロールスクリーン１では、ウェイトバー５の衝突で破損するおそれのない構造で遮光フィン９が取付フレーム２の背面側に取着され、巻取パイプ３と取付フレーム２との間で生じる隙間からの光漏れを効果的に遮蔽するようになっており、以下、一実施例の遮光フィン９について詳細に説明する。
【００３２】
（遮光フィン）
図２は、本発明による第１実施形態のロールスクリーン１における遮光フィン９周辺の概略構成を示す分解斜視図である。図２を参照するに、遮光フィン９は、全体として略Ｌ字状の断面形状を有しており、取付フレーム２の背面側で回動可能に軸支されている。遮光フィン９の左右方向幅Ｌｓは、取付フレーム２の左右方向幅Ｌｆよりもわずかに短い構成となっている。遮光フィン９は遮光性の高いものとし、例えば合成樹脂で形成されているときに、左右方向幅Ｌｓとして取付フレーム２の左右方向幅Ｌｆよりもわずかに短くしておくことで、例えば熱膨張で左右方向幅が変化しても、その回動がスムーズに軸支されるようになっている。
【００３３】
取付フレーム２の背面下方には、その長手方向に延在する略Ｃ字断面形状の軸受部２０が形成されている。この軸受部２０に遮光フィン９の軸部９１が係合しており、これにより遮光フィン９は、取付フレーム２の背面側で回動可能に支持される。取付フレーム２の長手方向の両端部には支持部材２ａ，２ｂが取着されている。
【００３４】
尚、支持部材２ａ，２ｂには、取付フレーム２の軸受部２０の略Ｃ字断面形状とほぼ合致する大きさの切欠き２３が設けられている。この切欠き２３は、取付フレーム２を支持部材２ａ，２ｂによって固定した後で、遮光フィン９の軸部９１を左右方向からスライドさせて軸受部２０に挿入して支持可能にするために設けられている。そして、遮光フィン９をスライドさせて取り外し可能とし、このスライド以外は取り外し不可として、ウェイトバー５の衝突で遮光フィン９が取付フレーム２から外れないようになっている。尚、遮光フィン９の取り外しに関して、室外側に切欠き２３がある支持部材２ａ（ただし、支持部材２ｂの室外側に切欠き２３を設けてもよい）における当該切欠き２３の位置に対して、遮光フィン９を跳ね上げ、或る一定の位置になった際に遮光フィン９を左右幅方向にスライドさせて取り外すことができる。
【００３５】
また、支持部材２ａ，２ｂには、取付ネジを用いて取付フレーム２を固定するためのネジ孔２１や、巻取パイプ３を回転可能に支持するための固定軸（図示せず）を固定するためのネジ孔２２が、複数個所に設けられている。その意匠性の観点からサイドカバー１０を取着しているが、このサイドカバー１０には、遮光フィン９の回動動作に関する機能性を向上させる作用もある。
【００３６】
即ち、詳細は後述するが、サイドカバー１０には、遮光フィン９のスムーズな回動を可能とするべく、遮光フィン９の回動範囲で遮光フィン９の左右方向の両端位置を規制するよう高さを持たせた壁部１０ａが形成されている。この壁部１０ａの高さは、支持部材２ａ，２ｂの厚みを収容するのに十分な高さとなっている。そして、サイドカバー１０は合成樹脂で形成され、金属材料で成形された支持部材２ａ，２ｂの外形に倣って狭圧して取着できるようになっており、壁部１０ａには支持部材２ａ，２ｂを掴持可能な内方に突出する爪部１０ｂが形成されている。つまり、遮光フィン９の回動動作に関して、爪部１０ｂや切欠き２３がその回動動作を阻害しないよう壁部１０ａに高さを持たせている。詳細は図７を参照して後述するが、サイドカバー１０の壁部１０ａは、支持部材２ａ，２ｂに当接するより先に遮光フィン９が当接して、遮光フィン９を回動可能に規制するよう構成しており、即ち遮光フィン９の左右方向の両端部を規制することで、その意匠性を確保し、光漏れ効果を高めつつ回動弊害を防止できるようにしている。尚、本例では、遮光フィン９の左右方向幅Ｌｓを取付フレーム２の左右方向幅Ｌｆよりもわずかに短い構成とし、サイドカバー１０の壁部１０ａで遮光フィン９を回動可能に規制するよう構成する例を示しているが、遮光フィン９の形状により支持部材２ａ，２ｂやサイドカバー１０を避けるようにしてもよい。
【００３７】
図３は、本発明による第１実施形態のロールスクリーンにおける遮光フィン９の構成を示す側面図である。尚、図３において、発明の理解を高めるために、取付フレーム２の側断面形状も破線で図示している。取付フレーム２の背面下方には、その長手方向に延在する略Ｃ字断面形状の軸受部２０が形成されている。より具体的には、軸受部２０は、取付フレーム２の底部から上方に延びる回動規制片２０ａの先端に折曲軸２０ｆを形成し、遮光フィン９の軸部９１を支持可能にしている。回動規制片２０ａは、遮光フィン９の下方への回動を規制する機能を有する。また、取付フレーム２の背面における軸受部２０の上方には、遮光フィン９の上方への回動を規制する回動規制片２０ｂが形成されている。図示する例では、回動規制片２０ａは取付フレーム２の本体背面から後方に突出する略Ｃ字状で形成され、回動規制片２０ｂは後方に突出する略板状で形成されている。そして、遮光フィン９の軸部９１が軸受部２０に軸支されている状態では、遮光フィン９の上下方向への回動が規制され、遮光フィン９をどのように回動させても背面方向へ軸受部２０から外れないようになっている。
【００３８】
遮光フィン９は、全体として略Ｌ字状の断面形状を有しており、ウェイトバー５との干渉による衝突力を緩和するよう複曲面形状の一部材で形成されている。遮光フィン９は、主に、軸部９１、遮蔽部９３、生地接触部９４、及び干渉緩和部９５から構成されている。
【００３９】
軸部９１は軸受部２０によって軸支される部位である。遮蔽部９３は取付フレーム２と巻取パイプ３との間の隙間から生じる光漏れを防ぐ部位である。生地接触部９４は巻取パイプ３によって巻取り又は巻戻すスクリーン４に当接又は近接させる部位である。干渉緩和部９５はスクリーン４の巻取りによってウェイトバー５が上昇し衝突する際の干渉を緩和する部位である。
【００４０】
そして、遮光フィン９は、スクリーン４の全閉時の光漏れ防止効果のために、生地接触部９４とスクリーン４との近接量を高めるよう重量バランスがとられている。
【００４１】
遮光フィン９の軸部９１は軸受部２０によって軸支され、全体として略Ｃ字断面形状で形成されている。軸部９１の先端は略Ｔ字断面形状で形成され、軸受部２０に対して空間的余裕を持たせた状態で係合させることで、遮光フィン９が軸受部２０から外れにくくするとともに、遮光フィン９の回動自由度を高めている。一方、このように回動自由度を高めた態様で遮光フィン９の軸部９１を軸受部２０に軸支させると、遮光フィン９と回動規制片２０ｂの回動干渉により不快な干渉音（接触音）を生じさせることから、軸部９１には、図３で示すように軸部９１の厚みを変化させ、回動範囲で肉厚を持たせた曲部９２を形成するのが好適である。このように、遮光フィン９の軸部９１は、回動負荷を軽減するのに十分な空間を保持しつつ、回動時のガタツキによる音を軽減できるようになっている。
【００４２】
生地接触部９４は巻取パイプ３によって巻取り又は巻戻すスクリーン４に当接又は近接させる部位であり、図４（ａ）に示すようにスクリーン４が巻取パイプ３に巻き取られると、スクリーン４の巻太りに倣って遮光フィン９を回動させることができる。生地接触部９４は丸みを持たせた断面形状としており、これにより遮光フィン９の回動をスムーズにしている。ただし、図４（ｂ）に示すように、ウェイトバー５の上昇によりウェイトバー５が遮光フィン９に当接する状態ではスクリーン４に対して非当接となる。
【００４３】
遮蔽部９３は、軸部９１と生地接触部９４との間の部位であり、取付フレーム２と巻取パイプ３との間の隙間から生じる光漏れを防ぐ長さで形成されている。また、遮蔽部９３は、概ね上に凸とするように曲線状の断面形状で形成されている。このように遮蔽部９３を形成することで、ウェイトバー５が最上位に位置する際に必要とされる遮光フィン９の回動に伴う高さをより低くして（図４（ｂ）に示す距離ｄ２）、この遮光フィン９の跳ね上がりに起因する損傷を防ぐとともに、この遮光フィン９の跳ね上がりに要する取付フレーム２の背面側の必要距離をより短くすることができる（図４（ｂ）に示す距離ｄ１）。尚、本例で示すウェイトバー５の最上位は、ウェイトバー５が取付フレーム２に当接する位置である。
【００４４】
例えば、図５（ａ）に示す比較例１の遮光フィン１０９のように、遮蔽部９３を概ね下に凸とするように曲線状の断面形状で形成すると、ウェイトバー５が最上位に位置する際に必要とされる遮光フィン１０９の回動に伴う高さが高くなり（図５（ａ）に示す距離ｄ２’）、この遮光フィン１０９の跳ね上がりに起因して遮光フィン１０９の先端が天井面に衝突し損傷するおそれが生じる。また、図５（ｂ）に示す比較例２の遮光フィン２０９のように、遮蔽部９３を概ね直線状の断面形状で形成すると、この遮光フィン２０９の跳ね上がりに要する取付フレーム２の背面側の必要距離が本発明に係る遮光フィン９の場合よりも長くなり設置効率が悪くなる（図５（ｂ）に示す距離ｄ１’）。
【００４５】
また、遮蔽部９３には、図３及び図４に示すように、軸部９１近傍に遮光フィン９の上方への回動を規制する上側突起部９７を設けるのが好適である。上側突起部９７は、取付フレーム２の回動規制片２０ｂと当接可能に形成され、これにより遮光フィン９の上方への回動を規制することができる。また、遮蔽部９３には、軸部９１近傍に遮光フィン９の下方への回動を規制する下側突起部９８を設けるのが好適である。この下側突起部９８については設けなくともよいが、スクリーン４との接触圧を緩和（又は非当接）とし、スクリーン４の昇降時の摩擦によるスクリーン４の損傷を抑制したいときに有効となる。そして、遮光フィン９の軸部９１が軸受部２０に支持されている状態では、これらの上側突起部９７及び下側突起部９８によっても遮光フィン９の上下方向への回動が規制され、遮光フィン９をどのように回動させても背面方向へ軸受部２０から外れないようになっている。
【００４６】
干渉緩和部９５はスクリーン４の巻取りによってウェイトバー５が上昇し衝突する際の干渉を緩和するよう波状の曲面形状（曲線状の断面形状）で形成される。特に、干渉緩和部９５の先端部９６は、図４（ａ）に示すように、ウェイトバー５の開口部５１への差し込み防止のために上方へと逃れる曲面形状とするのが好適である。
【００４７】
このように構成された遮光フィン９は、図４に示すように、ウェイトバー５の衝突で破損するおそれのない構造を有し、巻取パイプ３と取付フレーム２との間で生じる隙間からの光漏れを効果的に遮蔽することができる。また、上述したように、遮光フィン９とウェイトバー５との衝突に係る接触音も低減させる構造を有するため、操作上の不快感を低減させることができる。
【００４８】
また、サイドカバー１０により、その意匠性と、遮光フィン９の回動動作に関する機能性を向上させている。図６（ａ）に示すように、支持部材２ｂ（２ａ）には、取付ネジを用いて取付フレーム２を固定するためのネジ孔２１や、巻取パイプ３を回転可能に支持するための固定軸（図示せず）を固定するためのネジ孔２２が、複数個所に設けられている。そして、遮光フィン９が取付フレーム２の軸受部２０に軸支された状態では、図６（ｂ）に示すように、切欠き２３も視認可能な状態となり意匠性が悪い。このため、図６（ｃ）に示すように、サイドカバー１０を支持部材２ｂ（２ａ）に取着することで、その意匠性を改善することができる。
【００４９】
また、サイドカバー１０には、図７（ａ），（ｂ）の本発明に係るサイドカバー１０の部分的な背面図及び側面図に示すように、遮光フィン９の回動範囲で遮光フィン９の左右方向の両端位置を規制するよう高さ（図示する斜線部）を持たせた壁部１０ａが形成されている。そして、壁部１０ａに支持部材２ａ，２ｂを掴持可能な内方に突出する爪部１０ｂが形成されている。
【００５０】
一方、このように壁部１０ａを形成せず、短いカバー側壁とした場合、図７（ｃ），（ｄ）の比較例のサイドカバー１００の部分的な背面図及び側面図に示すように、遮光フィン９の回動動作に伴い、遮光フィン９が爪部１０ｂや切欠き２３に乗り上げ、遮光フィン９が閉じきらない状態となり遮光不良の原因となるおそれがある。このため、本発明では、遮光フィン９の左右方向幅Ｌｓは、取付フレーム２の左右方向幅Ｌｆよりもわずかに短い構成とし（図２参照）、爪部１０ｂや切欠き２３がその回動動作を阻害しないよう壁部１０ａに高さを持たせ、サイドカバー１０の壁部１０ａで遮光フィン９の左右方向の両端部を摺動させるようにすることで、光漏れ効果を高めつつ回動弊害を防止することができる。
【００５１】
〔第２実施形態〕
次に、図８及び図９を参照して、本発明による第２実施形態のロールスクリーン１ａの構成を説明する。図８は、本発明による第２実施形態のロールスクリーン１ａの概略構成を示す正面図である。図９は、本発明による第２実施形態のロールスクリーン１ａの概略構成を示す部分的な側面透視図である。尚、第１実施形態と同様な構成要素には同一の参照番号を付している。
【００５２】
図８に示すロールスクリーン１ａは、第１実施形態と比して、操作コード７及び操作プーリー８を設ける代わりに、ウェイトバー５ａに設けたプルグリップ１２によりスクリーン４の開閉動作を行うよう構成した例であり、第１実施形態と同様な構成要素の更なる説明は省略する。
【００５３】
巻取パイプ３は、スクリーン４の一端を取着して巻き取り可能に吊下支持している。スクリーン４の他端は、錘部材として機能するプルサポート付きのウェイトバー５ａに取着されている。従って、スクリーン４はウェイトバー５ａの重量に基づいて張設される。
【００５４】
また、巻取パイプ３内において、スクリーン４の自動巻上げを行う巻上機構（例えば、スプリングモーター）と、スクリーン４の自重降下を防止するストッパー装置等が収容されている（図示せず）。従って、ストッパー装置が作動していないとき、巻取パイプ３は、その巻上機構により、スクリーン巻取り方向へ回転するよう作動する。
【００５５】
そして、ウェイトバー５ａの略中央部の下端部には、下方に引っ張り可能なプルグリップ１２が取着されている。プルグリップ１２は、図９に示すように、ウェイトバー５ａの一部からプルコード１２ａを介して垂下されている。
【００５６】
即ち、プルグリップ１２を下方に引っ張ることで巻取パイプ３はスクリーン巻戻し方向へ回転してウェイトバー５ａが下降して、任意位置でプルグリップ１２を手放すとストッパー装置によりスクリーン４が引き出された状態で停止する。この状態からプルグリップ１２を僅かに下方に引っ張り手放すと、ストッパー装置によるロックが解除され巻取パイプ３はスクリーン巻取り方向へ回転してウェイトバー５ａが上昇する。このようにして、巻取パイプ３によってスクリーンの巻取り又は巻戻しを行うことにより室内への採光量を調節可能に構成される。
【００５７】
このようにプルグリップ１２を用いたロールスクリーン１ａに対しても、第１実施形態で説明した遮光フィン９を共通して用いることができ、第１実施形態と同様の作用・効果を得ることができる。そして、操作コード７及び操作プーリー８を設けた第１実施形態のロールスクリーン１と、ウェイトバー５ａに設けたプルグリップ１２によりスクリーン４の開閉動作を行うよう構成した第２実施形態のロールスクリーン１ａとで、遮光フィン９を共用可能とするため、その部品コストを削減することができる。
【００５８】
〔第３実施形態〕
次に、図１０を参照して、本発明による第３実施形態のロールスクリーン１ｂの構成を説明する。図１０は、本発明による第３実施形態のロールスクリーン１ｂの概略構成を示す部分的な側面透視図である。尚、第１及び第２実施形態と同様な構成要素には同一の参照番号を付している。
【００５９】
図１０に示すロールスクリーン１ｂは、第２実施形態の変形例として、取付フレーム２の背面下方に設けられた軸受部２０の形状と、この軸受部２０に係合する遮光フィン９ａにおける軸部９１の形状を、図９に示すものと比して上下に反転させて構成した例であり、第１及び第２実施形態と同様な構成要素の更なる説明は省略する。本例の軸受部２０は、取付フレーム２の一側部から下方に屈曲させて延びる回動規制片２０ｂの先端に折曲軸２０ｆを形成しており、この折曲軸２０ｆにより遮光フィン９ａの軸部９１を軸支させることができる。また、図１０に示す回動規制片２０ａは、フレーム２の底部から上方に延びるよう形成され、遮光フィン９ａの下方への回動を規制するとともに、ウェイトバー５との当接を受ける機能を有する。このように形成した場合も、ウェイトバー５ａの衝突で破損するおそれのない構造で遮光フィン９が取付フレーム２の背面側に取着され、巻取パイプ３と取付フレーム２との間で生じる隙間からの光漏れを効果的に遮蔽することができる。
【００６０】
従って、操作コード７及び操作プーリー８を設けた第１実施形態の変形例として、取付フレーム２の背面下方に設けられた軸受部２０の形状と、この軸受部２０に係合する遮光フィン９ａの軸部９１の形状を、図４（ｂ）に示すものと比して上下に反転させて構成することができる。
【００６１】
尚、遮光フィン９（又は９ａ）は、取付フレーム２の背面側に取着して軸支させるための軸支構造は、様々な形態が想定される。例えば、図１１（ａ）にて破線で側断面形状を図示するように取付フレーム２の軸受部２０を構成し、図３で示したものと同一構造の遮光フィン９の軸部９１を軸支させることができる。より具体的には、軸受部２０は、取付フレーム２の底部から上方に延びる回動規制片２０ａの先端に丸軸２０ｅを形成しており、この丸軸２０ｅにより遮光フィン９の軸部９１を軸支させることができる。
【００６２】
或いはまた、図１１（ｂ）にて破線で側断面形状を図示するように取付フレーム２の軸受部２０を構成し、図１０で示したものと同一構造の遮光フィン９ａの軸部９１を軸支させることができる。より具体的には、軸受部２０は、取付フレーム２の一側部から下方に屈曲して延びる回動規制片２０ｂの先端に折曲軸２０ｆを形成しており、この折曲軸２０ｆにより遮光フィン９の軸部９１を軸支させることができる。図１１（ｂ）に示す例では、図１０に示す例と比較して、回動規制片２０ａを形成していない。この場合、遮光フィン９ａによりウェイトバー５との当接を受けることとなるが、遮光フィン９ａの軸部９１近傍でウェイトバー５との当接を受けるため、ウェイトバー５の衝突による遮光フィン９ａの損傷は生じない。また、回動規制片２０ａを形成していないため、図１０に示す例と比較して、取付フレーム２の本体背面における遮光フィン９ａの背面側の必要距離をより短くすることができる。
【００６３】
或いはまた、図１２（ａ）にて破線で側断面形状を図示するように取付フレーム２の軸受部２０を構成し、図３で示したものと同一構造の遮光フィン９の軸部９１を軸支させることができる。より具体的には、軸受部２０は、取付フレーム２の底部から上方に延びる回動規制片２０ａの先端に折曲軸２０ｆを形成しており、この折曲軸２０ｆにより遮光フィン９の軸部９１を軸支させることができる。尚、この折曲軸２０ｆの代わりに図１１（ａ）に示す丸軸２０ｅとすることもできる。また、取付フレーム２の背面における軸受部２０の上方には、遮光フィン９の上方への回動を規制するとともに、遮光フィン９の回動に伴うガタツキを抑制する回動規制片２０ｂが略Ｃ字断面形状で形成されている。従って、図示するように取付フレーム２の背面側を開口させて軸受部２０を形成して、図３で示したものと同一構造の遮光フィン９の軸部９１を軸支させることができる。
【００６４】
或いはまた、図１２（ｂ）にて破線で側断面形状を図示するように取付フレーム２の軸受部２０を構成し、図３で示したものと同一構造の遮光フィン９の軸部９１を軸支させることができる。より具体的には、軸受部２０は、取付フレーム２の底部を開口させ、取付フレーム２の室内側底部から上方に延びる突出片の先端に折曲軸２０ｆを形成しており、この折曲軸２０ｆにより遮光フィン９の軸部９１を軸支させることができる。尚、この折曲軸２０ｆの代わりに図１１（ａ）に示す丸軸２０ｅとすることもできる。また、軸受部２０の上方には、取付フレーム２の室外側底部から上方に延び、遮光フィン９の回動範囲を規制し、この回動に伴うガタツキを抑制する回動規制片２０ｂが略Ｃ字断面形状で形成されている。従って、図示するように取付フレーム２の底面側を開口させて軸受部２０を形成して、図３で示したものと同一構造の遮光フィン９の軸部９１を軸支させることができる。本例では、特に、遮光フィン９が破線で示す状態から実線で示す状態まで回動したとき、遮光フィン９によりウェイトバー５との当接を受けることとなるが、遮光フィン９の遮蔽部９３が取付フレーム２の底面の比較的広い範囲の面で当接して、ウェイトバー５との当接を受けるため、ウェイトバー５の衝突による遮光フィン９ａの損傷は生じない。また、図１２（ａ）等に示すような取付フレーム２の本体背面に遮光フィン９（又は９ａ）を軸支させるものと比較して、取付フレーム２の本体背面における遮光フィン９ａの背面側の必要距離をより短くすることができる。
【００６５】
〔第４実施形態〕
次に、図１３を参照して、本発明による第４実施形態のロールスクリーン１ｃの構成を説明する。図１３は、本発明による第４実施形態のロールスクリーン１ｃの概略構成を示す部分的な側面透視図である。尚、上述した各実施形態と同様な構成要素には同一の参照番号を付している。
【００６６】
図１３に示すロールスクリーン１ｃは、取付フレーム２の前面側部に軸受部２０を形成し、取付フレーム２の室内側底部で遮光フィン９ｂにおける軸部９１を軸支するよう構成される。遮光フィン９ｂは、主に、上述した遮光フィン９（又は９ａ）と同様に、軸部９１、遮蔽部９３、生地接触部９４、及び干渉緩和部９５から構成され、その構造及び機能をほぼ同様に構成することができ、遮光フィン９ｂ全体として復曲面形状で形成されている。干渉緩和部９５の先端部９６は、図１３に示すように、ウェイトバー５の開口部５１への差し込み防止のために上方へと逃れる曲面形状を有している。ただし、遮光フィン９ｂは、上述した例えば図４に示す遮光フィン９や図１０に示す遮光フィン９ａと比較して、遮蔽部９３でも巻取パイプ３によって巻取り又は巻戻すスクリーン４との当接を許容するよう遮蔽部９３を平坦な形状で構成している点で特に相違している。
【００６７】
本例の軸受部２０は、取付フレーム２の前面側部から下方に屈曲して延びる先端に折曲軸２０ｆを形成しており、この折曲軸２０ｆにより遮光フィン９ｂの軸部９１を軸支させることができる。本例では、特に、遮光フィン９ｂが破線で示す状態から実線で示す状態まで回動したとき、遮光フィン９ｂによりウェイトバー５との当接を受けることとなるが、その際に遮光フィン９ｂの生地接触部９４は取付フレーム２の底面端部に当接し、この遮光フィン９ｂの生地接触部９４近傍でウェイトバー５との当接を受けるため、ウェイトバー５の衝突による遮光フィン９ｂの損傷は生じない。また、本例では、図１３から明らかなように、図４や図１０に示す遮光フィン９（又は９ａ）の例と比較して、取付フレーム２の本体背面における遮光フィン９ｂの背面側の必要距離をより短くすることができる。
【００６８】
〔第５実施形態〕
次に、図１４を参照して、本発明による第５実施形態のロールスクリーン１ｄの構成を説明する。図１４は、本発明による第５実施形態のロールスクリーン１ｄの概略構成を示す部分的な側面透視図である。尚、上述した各実施形態と同様な構成要素には同一の参照番号を付している。
【００６９】
図１４に示すロールスクリーン１ｄは、取付フレーム２の底部に筒状の軸受部２０を形成し、取付フレーム２の室内側底部で遮光フィン９ｃにおける丸軸状の軸部９１を覆うとともに、遮光フィン９ｃの左右両端から丸軸状の軸部９１を突出させて、支持部材２ａ，２ｂに設けた軸支持部２４で支持するよう構成される。遮光フィン９ｃは、主に、上述した遮光フィン９（又は９ａ）と同様に、軸部９１、遮蔽部９３、生地接触部９４、及び干渉緩和部９５から構成され、その構造及び機能をほぼ同様に構成することができ、遮光フィン９ｂ全体として復曲面形状で形成されている。干渉緩和部９５の先端部９６は、図１３に示すように、ウェイトバー５の開口部５１への差し込み防止のために上方へと逃れる曲面形状を有している。ただし、遮光フィン９ｃは、上述した例えば図４に示す遮光フィン９や図１０に示す遮光フィン９ａと比較して、丸軸状の軸部９１としている点と、遮蔽部９３でも巻取パイプ３によって巻取り又は巻戻すスクリーン４との当接を許容するよう遮蔽部９３を平坦な形状で構成している点で特に相違している。
【００７０】
本例の軸受部２０は、遮光フィン９ｃの丸軸状の軸部９１を覆うよう筒状に形成されており、遮光フィン９ｃの丸軸状の軸部９１の左右両端は、丸軸状の軸部９１が支持部材２ａ，２ｂに設けた軸支持部２４で支持可能に突出している（図示せず）。これにより、遮光フィン９ｃは、回動可能に支持部材２ａ，２ｂに支持させることができる。本例では、特に、遮光フィン９ｃが破線で示す状態から実線で示す状態まで回動したとき、遮光フィン９ｃによりウェイトバー５との当接を受けることとなるが、その際に遮光フィン９の遮蔽部９３は取付フレーム２の底面の比較的広い範囲の面で当接して、ウェイトバー５との当接を受けるため、ウェイトバー５の衝突による遮光フィン９ｃの損傷は生じない。また、本例では、図１４から明らかなように、図４や図１０に示す遮光フィン９（又は９ａ）の例と比較して、取付フレーム２の本体背面における遮光フィン９ｃの背面側の必要距離をより短くすることができる。
【００７１】
以上のように、第１乃至第５実施形態のロールスクリーンでは、ウェイトバー５（又は５ａ）の衝突で破損するおそれのない構造で遮光フィン９（又は９ａ乃至９ｃ）が取付フレーム２の背面側又は底面側に取着され、巻取パイプ３と取付フレーム２との間で生じる隙間からの光漏れを効果的に遮蔽することができる。
【００７２】
〔第６実施形態〕
次に、図１５を参照して、本発明による第６実施形態のロールスクリーン１ｅの構成を説明する。図１５は、本発明による第６実施形態のロールスクリーン１ｅの概略構成を示す部分的な側面透視図である。尚、第１乃至第５実施形態と同様な構成要素には同一の参照番号を付している。
【００７３】
第６実施形態のロールスクリーン１ｅは、第１乃至第５実施形態で説明したものとは、取付フレーム２の背面下方に設けられた軸受部２０の形状と、この軸受部２０に係合する遮光フィン９ｄの構造が相違しているが、他の構成要素は同様であり、その更なる説明は省略する。
【００７４】
第６実施形態のロールスクリーン１ｅでは、取付フレーム２の背面下方に設けられた軸受部２０の形状が、遮光フィン９ｄの下方への回動を規制する回動規制片２０ａと、遮光フィン９ｄの上方への回動を規制する回動規制片２０ｂと、略半円状に凹みを持たせた凹部２０ｃとを有するよう構成される。
【００７５】
そして、遮光フィン９ｄは、ウェイトバー５との干渉による衝突力を緩和するよう屈曲可能な連結式の多部材構成としており、主に、軸部９１ａ、遮蔽部９３ａ、生地接触部９４ａ、及び干渉緩和部９５ａから構成されている。遮光フィン９ｂは、生地接触部９４ａの位置で、軸部９１ａ及び遮蔽部９３ａを構成する部材と、干渉緩和部９５ａを構成する部材とを屈曲可能とする連結式の２部材構成としている。
【００７６】
軸部９１ａは軸受部２０によって軸支される部位である。遮蔽部９３ａは取付フレーム２と巻取パイプ３との間の隙間から生じる光漏れを防ぐ部位である。生地接触部９４ａは当該屈曲可能とする連結部位であるとともに、巻取パイプ３によって巻取り又は巻戻すスクリーン４に当接又は近接させる部位である。干渉緩和部９５ａはスクリーン４の巻取りによってウェイトバー５が上昇し衝突する際の干渉を緩和する部位である。
【００７７】
そして、遮光フィン９ｄは、スクリーン４の全閉時の光漏れ防止効果のために、生地接触部９４ａとスクリーン４との近接量を高めるよう重量バランスがとられている。
【００７８】
遮光フィン９ｄの軸部９１ａは軸受部２０によって軸支され、全体として略円断面形状で形成されている。軸部９１ａは、軸受部２０に対してガタツキの生じない態様で係合させることで、遮光フィン９ｄが軸受部２０から外れにくくするとともに、遮光フィン９ｄの回動自由度を高めている。このようにガタツキの生じない態様で係合させることで、遮光フィン９ｄの遮蔽部９３ａと回動規制片２０ｂとの回動干渉による不快な干渉音（接触音）が生じないようにしている。
【００７９】
生地接触部９４ａは、軸部９１ａ及び遮蔽部９３ａを構成する部材と、干渉緩和部９５ａを構成する部材とを屈曲可能に連結し、且つ巻取パイプ３によって巻取り又は巻戻すスクリーン４に当接又は近接させる部位であり、スクリーン４の巻太りに倣って遮光フィン９ｄを回動させることができる。生地接触部９４ａは、軸部９１ａ及び遮蔽部９３ａを構成する部材の略Ｃ字断面形状の端部と、干渉緩和部９５ａを構成する部材の略円断面形状の端部とを相対回動可能に連結している。これにより遮光フィン９ｄの回動をスムーズにしている。尚、この生地接触部９４ａによる連結形態は、軸部９１ａ及び遮蔽部９３ａを構成する部材と干渉緩和部９５ａを構成する部材とが相対回動可能であれば任意であり、例えば、これら部材をテープ等で連結してもよい。本実施形態の例では、このように２部材構成で屈曲可能としているが３部材以上としてもよい。
【００８０】
遮蔽部９３ａは、軸部９１ａと生地接触部９４ａとの間の部位であり、取付フレーム２と巻取パイプ３との間の隙間から生じる光漏れを防ぐ長さで形成されている。また、遮蔽部９３ａは、曲部９２ａで屈曲した概ね上に凸とするように曲線状の断面形状で形成されている。このように遮蔽部９３ａを形成することで、ウェイトバー５が最上位に位置する際に必要とされる遮光フィン９ｄの回動に伴う高さをより低くして、この遮光フィン９ｄの跳ね上がりに起因する損傷を防ぐとともに、この遮光フィン９ｄの跳ね上がりに要する取付フレーム２の背面側の必要距離をより短くすることができる点で、第１実施形態と同様である。
【００８１】
また、遮蔽部９３ａは、曲部９２ａで屈曲した形状を有しているため、図１５に示すように、曲部９２ａと軸部９１ａとの間の領域で、取付フレーム２の回動規制片２０ｂと当接可能となり、これにより遮光フィン９ｂの上方への回動を規制することができる。そして、遮光フィン９ｄの軸部９１ａが軸受部２０に支持されている状態では、遮光フィン９ｄをどのように回動させても軸受部２０から外れないようになっている。尚、取付フレーム２の軸受部２０に対する遮光フィン９ｄの軸部９１ａの取付方法は、第１実施形態と同様である。
【００８２】
干渉緩和部９５ａは、生地接触部９４ａの位置で屈曲されて、スクリーン４の巻取りによってウェイトバー５が上昇し衝突する際の干渉を緩和する。特に、干渉緩和部９５ａの先端部９６ａは、図１５に示すように、ウェイトバー５の開口部５１への差し込み防止のために丸みを持たせた曲面形状とするのが好適である。
【００８３】
このように構成された遮光フィン９ｄは、ウェイトバー５の衝突で破損するおそれのない構造を有し、巻取パイプ３と取付フレーム２との間で生じる隙間からの光漏れを効果的に遮蔽することができる。また、上述したように、遮光フィン９ｄとウェイトバー５との衝突に係る接触音も低減させる構造を有するため、操作上の不快感を低減させることができる。
【００８４】
そして、図１５に示す遮光フィン９ｄは、第２実施形態で説明したようなプルグリップ１２を用いるロールスクリーンにも適用可能であることは勿論である。
【００８５】
以上、特定の実施形態の例を挙げて本発明を説明したが、本発明は前述の実施形態の例に限定されるものではなく、その技術思想を逸脱しない範囲で種々変形可能である。例えば、各実施形態において、主に、スクリーン４を巻取パイプ３の室外側から垂下するロールスクリーンに、本発明に係る遮光フィンを適用する例を説明したが、本発明に係る遮光フィンは、スクリーン４を巻取パイプ３の室内側から垂下するロールスクリーンにも共通の部材で用いるよう構成することができる。
【００８６】
また、各実施形態のロールスクリーンにおいて、それぞれ遮光フィンの軸部の形状を異なる形状で説明した例があるが、それぞれの実施形態における遮光フィンの軸部の形状のうち１つを用いた形態とすればよい。
【００８７】
また、第２乃至第６実施形態のいずれにおいても、第１実施形態のように、サイドカバーを設けるのが好適であり、このため、遮光フィンの左右方向幅は、取付フレームの左右方向幅よりもわずかに短い構成とし、サイドカバーの爪部や支持部材の切欠きがその回動動作を阻害しないようサイドカバーの壁部に高さを持たせるのが好適である。
【００８８】
このように、各実施形態のロールスクリーンにおいて、遮光フィンの軸部９１を軸支するために、取付フレーム２の背面下方、又は底面側に軸受部２０を設けることができる。
【００８９】
また、各実施形態のロールスクリーンの変形例として、図１６（ａ）に示すように、支持部材２ａ，２ｂによりスクリーン４を巻取り可能な巻取パイプ３を支持して、取付フレームを用いることなく支持部材２ａ，２ｂを天井面に固定するよう構成したロールスクリーン１ｆとすることができる。この場合、前述した遮光フィン９などの各実施形態における遮光フィンを、支持部材２ａ，２ｂにより軸支させて設けることができる。例えば、代表して第１実施形態の遮光フィン９を支持部材２ａ，２ｂにより軸支させる際の構成例を図１６（ｂ）に示している。支持部材２ａ，２ｂは、天井面に固定可能に略くの字に折り曲げられた板状部材で構成され、それぞれ丸孔状の軸支持部２４が形成されている。各支持部材２ａ，２ｂの丸孔状の軸支持部２４に円柱軸２５が支持される。この円柱軸２５に遮光フィン９の軸部９１を軸支させることで、上述した第１実施形態の遮光フィン９の作用・効果を発揮させることができる。
【００９０】
尚、ロールスクリーン１ｆにおいて、遮光フィン９を軸支させる形態は様々な変形例が想定される。例えば、支持部材２ａ，２ｂのそれぞれに所定長で突出する円柱軸を固着させ、これら円柱軸に遮光フィン９を軸支させてもよいし、丸軸状の軸部９１で構成した遮光フィン９ｃの左右両端から丸軸状の軸部９１を突出させて、支持部材２ａ，２ｂに設けた軸支持部２４で支持するよう構成してもよい。また、図１６（ａ）では、第１実施形態と同様に、操作コード７によるスクリーン４の昇降操作を可能とする例を示しているが、第２実施形態のように、プルグリップ１２による昇降操作を可能とするよう構成することができる。そして、図１６に示す実施形態においても、第１実施形態のように、サイドカバーを設けるのが好適である。
【００９１】
また、好適には、各実施形態における遮光フィンを、スクリーン４が巻取パイプ３から下限位置まで垂下されている状態で巻取パイプ３の上部（例えば、取付フレーム２と巻取パイプ３との間や、天井面と巻取パイプ３との間）の隙間を全て覆うよう構成することで、その遮光性を高めることができる。
【００９２】
また、好適には、各実施形態における遮光フィンを、スクリーン４が巻取パイプ３から下限位置まで垂下されている状態で巻取パイプ３及び／又はスクリーン４に非接触となるよう構成することで、その遮光性を高めた状態で、巻取パイプ３やスクリーン４との接触で生じてしまうような損傷を防止することができる。
【００９３】
また、好適には、各実施形態における遮光フィンを、スクリーン４が上限位置にある状態で巻取パイプ３及び／又はスクリーン４に非接触となるよう構成することで、その遮光性を高めた状態で、巻取パイプ３やスクリーン４との接触で生じてしまうような損傷を防止することができる。
【００９４】
そして、好適には、上述した実施形態の一例として説明したように、遮光フィンの軸部９１（又は９１ａ）が取付フレーム２における前端縁近傍、又は後端縁近傍にて軸支するよう構成することで、その遮光性を高めた状態で巻取パイプ３やスクリーン４との接触で生じてしまうような損傷を防止するとともに、遮光フィンの回動に伴う必要距離の最小化、即ち必要設置面積の縮小化を図ることができる。
【００９５】
更に、好適には、上述した実施形態の一例として説明したように、取付フレーム２に遮光フィンの軸部９１（又は９１ａ）の回転を規制しながら軸支する片（上述の実施形態の例では、取付フレーム２の下方又は上方から延びる回動規制片２０ａ，２０ｂであり、先端に丸軸２０ｅや折曲軸２０ｆが形成されたものでもよい）を形成することで、遮光フィンの回動時のガタツキや音を軽減させることができる。尚、図１６で示したように、取付フレーム２を用いずに、遮光フィンを支持部材２ａ，２ｂで軸支する場合も、支持部材２ａ，２ｂに遮光フィンの軸部９１（又は９１ａ）の回転を案内する突出片を所定長で突出させて形成することができる。
【００９６】
更に、好適には、上述した実施形態の一例として説明したように、巻取パイプ３によるスクリーン４の巻き取りが、取付フレーム２に対するウェイトバー５の当接により停止するよう構成することで、ウェイトバー５との当接による遮光フィンの跳ね上がりを軽減可能となる。
【００９７】
〔回動減速部及び回動規制部〕
次に、遮光フィン９がスクリーン４とはその最大巻取径時にも非接触となるよう遮光フィン９を取付フレーム２に軸支させるロールスクリーンの構成と、遮光フィン９がスクリーン４のウェイトバー５との干渉により緩やかに回動するよう遮光フィン９を取付フレーム２に軸支させるロールスクリーンの構成について説明する。
【００９８】
例えば竹筒など、比較的硬質で長尺な筒状の素材を編み込んで形成されるスダレによりスクリーン４を構成することがある。このようなスダレは凹凸があるため、遮光フィン９と常時接触させて遮光するよう遮光フィン９を取付フレーム２に軸支させると、スクリーン４の巻取り時に、遮光フィン９とスダレによるスクリーン４との擦れによる接触音や、遮光フィン９のガタツキに伴う取付フレーム２との接触音が比較的大きく発生し、操作者に不快感を生じさせることがある。
【００９９】
そこで、この接触音をより低減させるために、遮光フィン９の回動を規制可能とする回動規制部８０を設けるのが好適であり、これに代えて、或いはこれに加えて、遮光フィン９の回動時の速度を低減する回動減速部８１を設けるのが好適である。以下、図１７及び図１８を参照して、回動規制部８０及び回動減速部８１を順に説明する。図１７（ａ）は、本発明による第１実施形態のロールスクリーンにおける遮光フィン９に関して、回動規制部８０及び回動減速部８１を設けていないときの側面図であり、一方、図１７（ｂ）は、遮光フィン９に関して回動規制部８０及び回動減速部８１を設けたときの側面図である。また、図１８は、回動規制部８０及び回動減速部８１の位置を例示した図である。
【０１００】
また、以下の説明では、主として、回動規制部８０を取付フレーム２に貼付可能な部材として構成し、更に、回動減速部８１を遮光フィン９の軸部９１に対して貼付可能な部材として構成した例を挙げている。
【０１０１】
（回動規制部）
まず、上述した実施形態の作用を改めて言及すると、図１７（ａ）に代表して示す第１実施形態のロールスクリーンにおいて、軟質生地で構成したスクリーン４の場合では、その最大巻取径（図１７（ａ）に図示する矢印Ｈ）時や全閉状態時に、遮光フィン９における生地接触部９４をスクリーン４の周面に接触するよう（図１７（ａ）の図示Ａ）、遮光フィン９の軸部９１を取付フレーム２の軸受部２０に軸支させると、その遮光性を高めることができる。尚、光漏れが無視できる限りにおいて、必ずしも遮光フィン９における生地接触部９４をスクリーン４の周面に接触させる必要はなく、近接させた状態で遮光フィン９を構成してもよい。
【０１０２】
即ち、軟質生地で構成したスクリーン４の場合では、その最大巻取径時で、遮光フィン９の下側突起部９８が取付フレーム２の軸受部２０における回動規制片２０ａに当接又は近接するよう（図１７（ａ）の図示Ｂ）、遮光フィン９を構成すればよい。また、軟質生地で構成したスクリーン４の場合では、図３を参照して前述したように、遮光フィン９の軸部９１を取付フレーム２の軸受部２０に対して空間的余裕を持たせた状態で係合させることで（図１７（ａ）の図示Ｃ）、遮光フィン９が軸受部２０から外れにくくするとともに遮光フィン９の回動自由度を高め、且つ軸部９１の厚みを変化させ回動範囲で肉厚を持たせた曲部９２を形成している。このため、遮光フィン９と回動規制片２０ｂの回動干渉に起因する不快な干渉音（接触音）は無視できるほど軽減させることができる。
【０１０３】
これに対して、例えば竹筒など、比較的硬質で長尺な筒状の素材を編み込んで形成されるスダレによりスクリーン４を構成した場合、その最大巻取径時や全閉状態時に関わらず、遮光フィン９における生地接触部９４をスクリーン４の周面に接触するよう遮光フィン９の軸部９１を取付フレーム２の軸受部２０に軸支させてしまうと、スクリーン４の巻取り時に、特にスクリーン４を巻取るほど、遮光フィン９と凹凸の有るスダレによるスクリーン４との擦れによる接触音が比較的大きく発生し、操作者に不快感を生じさせる。
【０１０４】
そこで、図１７（ｂ）に示すように、スダレによりスクリーン４を構成した場合では、回動規制部８０を構成する部材を取付フレーム２の軸受部２０における回動規制片２０ａに貼付して、スクリーン４の最大巻取径（図１７（ｂ）に図示する矢印Ｈ）時でも、遮光フィン９における生地接触部９４がスクリーン４の周面に接触しないように（図１７（ｂ）の図示Ｄ）、遮光フィン９の角度を調整する。このような回動規制部８０を構成する部材は、合成樹脂により任意形状でシート状に形成し、その一面に粘着剤を塗布したシール状のものとすることができる。
【０１０５】
そして、この回動規制部８０を構成する部材は、取付フレーム２の左右方向幅のほぼ全長に亘って貼付してもよいが、取付フレーム２の左右方向幅にて複数個所に点在するよう貼付すればよい。例えば、図１８にて誇張して示すように、取付フレーム２の左右方向における両端部近傍と中央部の合計三箇所にて回動規制部８０を構成する部材を貼付すればよい。また、スダレの生地厚に応じて、回動規制部８０を構成する部材の厚みも複数種用意するのが好適であり、シール状に形成することで重ねて貼付可能に構成するのが望ましい。これにより、スクリーン４の最大巻取径時や全閉状態時の光漏れが無視できるほど小さくすることを考慮して、この回動規制部８０を構成する部材によって遮光フィン９における生地接触部９４とスクリーン４の周面との間の間隔を調整することができる。
【０１０６】
このような回動規制部８０を構成する部材は、取付フレーム２の軸受部２０における回動規制片２０ａに貼付する代わりに、遮光フィン９の下側突起部９８に貼付してもよい。そして、回動規制部８０を適用する取付フレーム２及び／又は遮光フィン９は、必ずしもスダレによりスクリーン４を構成した場合に限らず、軟質生地で構成したスクリーン４の場合にも利用可能である。
【０１０７】
（回動減速部）
次に、回動減速部８１について詳細に説明する。遮光フィン９の軸部９１を取付フレーム２の軸受部２０に対して空間的余裕を持たせた状態で係合させた状態では（図１７（ａ）の図示Ｃ）、例えば竹筒など、比較的硬質で長尺な筒状の素材を編み込んで形成されるスダレによりスクリーン４を構成した場合、そのスダレの凹凸で遮光フィン９のバタツキが生じ、このため、遮光フィン９の軸部９１と取付フレーム２の軸受部２０との接触音が大きく生じることがある。
【０１０８】
そこで、図１７（ｂ）に示すように、スダレによりスクリーン４を構成した場合では、回動減速部８１を構成する部材を遮光フィン９の軸部９１における曲部９２に貼付して、回動規制片２０ｂに接触させるようにする。このような回動減速部８１を構成する部材は、発砲ゴムにより任意形状でシート状に形成し、その一面に粘着剤を塗布したテープ状のものとした発砲ゴムテープとすることができる。この回動減速部８１は、取付フレーム２の回動規制片２０ｂと接触して、遮光フィン９とウェイトバー５との接触で遮光フィン９が回動する際も緩やかに回動するようになり、更に遮光フィン９の回動時の振動を低減するダンパー作用を呈して遮光フィン９のバタツキを抑えることができる。この回動減速部８１を構成する部材は、取付フレーム２の左右方向幅のほぼ全長に亘って貼付してもよいが、取付フレーム２の左右方向幅にて複数個所に点在するよう貼付すればよい。例えば、図１８にて誇張して示すように、取付フレーム２の左右方向における両端部近傍の合計二箇所にて回動減速部８１を構成する部材を貼付すればよい。また、軸部９１（より具体的には軸部９１における曲部９２）と回動減速部８１とを２色成形で一体成形して当該遮光フィン９を構成することもできる。
【０１０９】
回動減速部８１を構成する部材を発砲ゴムで形成することで、遮光フィン９が軸受部２０から外れにくくするとともに遮光フィン９の回動自由度を損なうことは無く、遮光フィン９と回動規制片２０ｂの回動干渉により不快な干渉音（接触音）が無視できるほど軽減させることができる。従って、回動減速部８１を適用する遮光フィン９は、必ずしもスダレによりスクリーン４を構成した場合に限らず、軟質生地で構成したスクリーン４の場合にも利用可能である。
【０１１０】
また、上記の作用を生じさせる回動減速部８１は、発砲ゴムや発砲ゴムテープなどの部材で構成する他、グリスダンパー、又はオイルダンパーにより構成してもよい。
【０１１１】
以上のように、回動規制部８０及び／又は回動減速部８１を設けることにより、遮光フィン９に関する接触音を低減させるようロールスクリーンを構成することができる。
【０１１２】
尚、別部材として回動規制部８０を遮光フィン９と取付フレーム２のいずれか一方、又は双方に設けることなく、このような回動規制部８０の機能を持つよう、遮光フィン９の下側突起部９８、及び／又は取付フレーム２の回動規制片２０ａを形成させた構成としてもよい。例えば、図１９は、本発明による第１実施形態のロールスクリーンにおける変形例の遮光フィン９を説明する側面図である。図１９に示す例は、図１７（ｂ）に示す構成と比して、前述した回動規制部８０の機能を遮光フィン９の下側突起部９８に持たせた例である。本例では、下側突起部９８が、スクリーン４の全閉状態（図１９に示す破線の状態）時だけでなく、スクリーン４の最大巻取径（図１９に図示する矢印Ｈ）時でも、遮光フィン９における生地接触部９４がスクリーン４の周面に接触しないように下側突起部９８が遮光フィン９の下方で突起して、遮光フィン９の角度が調整されたものとなっており、この下側突起部９８が回動規制部８０として機能する。
【０１１３】
特に、遮光フィン９を、取付フレーム２と巻取パイプ３との間の少なくとも仰角０度以上の直接入射光を防止し、且つ下限から所定の高さまでスクリーン４とは接触しないよう、上下方向に可動（上下方向の直線移動や回動を含む）に軸支させることで、その光漏れを効果的に遮蔽することができ、遮光フィン９に係る接触音も低減させることができる。
【０１１４】
好適には、上述したように、遮光フィン９をスクリーン４とはその最大巻取径時にも非接触となるようにすることで、遮光フィン９に係る接触音を確実に低減させることができる。
【０１１５】
図１７（ｂ）及び図１９に示す構成では、図３に示す遮光フィン９の場合を例に代表して説明したが、このような回動規制部８０及び回動減速部８１の機能を有するようロールスクリーンを構成するには、前述した遮光フィン９ａ，９ｂ，９ｃ，９ｄの場合にも適用可能である。
【０１１６】
また、図１７（ｂ）及び図１９に示す構成では、生地接触部９４がスクリーン４の周面に接触しないが、図示するように曲面状に隆起させているため、光漏れを抑制するのに好適な形状となっている点に留意する。従って、生地接触部９４は、このようなスクリーン４の周面との接触を必ずしも必要としない「曲面状隆起部」として構成される。
【０１１７】
〔第７実施形態〕
ここで、上述した各実施形態及びその変形例において、遮光フィン９（或いは９ａ）を正面側（室内側）に配置する構成とすることもできる。例えば第１実施形態のロールスクリーン１に対して、図３に示す遮光フィン９を室内側に配置した例を第７実施形態として、以下に説明する。ここで、第７実施形態のロールスクリーン１は、巻取パイプ３の一端部に操作プーリー８が設けられ、この操作プーリー８に掛回される無端状の操作コード７が垂下されている。図２０は、本発明による第７実施形態のロールスクリーン１の概略構成を部分的に示す正面図である。また、図２１（ａ）,（ｂ），（ｃ）は、それぞれ本発明による第７実施形態のロールスクリーン１における遮光フィン９の動作を説明する図である。尚、上述した各実施形態と同様な構成要素には同一の参照番号を付しており、同様な構成要素の更なる詳細な説明は省略する。
【０１１８】
即ち、図２０に示す第７実施形態のロールスクリーン１は、図３を参照して説明したように遮光フィン９が全体として略Ｌ字状の断面形状を有しているが、その軸部９１が取付フレーム２の正面側（室内側）に設けられた軸受部２０に対して回動可能に軸支されている。そして、図２１（ａ）に示すように、ウェイトバー５が下限位置にあるときの非操作時のスクリーン４は、巻取パイプ３の背面側（室外側）から垂下されている。特に、第７実施形態のロールスクリーン１では、遮光フィン９が、操作プーリー８の少なくとも一部を覆うように設けられており、これによりその意匠性を向上させている。
【０１１９】
また、このように遮光フィン９を操作プーリー８の少なくとも一部を覆うように設けたときに、図２１（ｂ）に示すように、例えば図２１（ａ）に示す非操作状態から操作コード７を正面側（室内側）に角度をつけて引くことで巻取パイプ３によるスクリーン４の巻き上げを行う際に、操作コード７が遮光フィン９の生地接触部（曲面状隆起部）９４と当接しても遮光フィン９が回動するため、その引き操作を妨げることが無い。
【０１２０】
また、遮光フィン９の生地接触部（曲面状隆起部）９４は、その曲面状に隆起させた形状を有することから、操作コード７が遮光フィン９と当接しても、その摩擦抵抗を軽減させることができ、これにより引き操作に要する負荷が大きく増大しないようになっている。操作コード７とは組紐以外にも、多数のボールが紐に固着されたボールチェーンや数珠繋ぎされた金属チェーンを含む。
【０１２１】
尚、第７実施形態のロールスクリーン１において、引き操作により巻取パイプ３で巻き取るスクリーン４が所定の巻取径に達すると、操作コード７は遮光フィン９と当接しなくなり、遮光フィン９はそのスクリーン４の巻取りに応じて回動するため、遮光フィン９の機能及びその操作性を妨げることはない。例えば、ウェイトバー５が上限位置にあるときの非操作時のスクリーン４は、図２１（ｃ）に示すような状態となる。
【０１２２】
このように、第７実施形態のロールスクリーン１によれば、遮光フィン９により意匠性を向上させつつ、引き操作に要する負荷も大きく増大させることなく、遮光機能を作用させることができる。
【０１２３】
ここで、上述した各実施形態の遮光フィン９（或いは９ａ）は、室内側でも室外側でも共通に配置利用可能とすることを意図して説明したが、例えば、室内側専用に遮光フィン９を配置する構成とすることもできる。例えば、図２１と対比可能に図２２に示すように、図３に示す遮光フィン９の形状から、干渉緩和部９５とその先端部９６を排除した形状とすることもできる。これにより、上述の作用・効果を有しながら前後方向の寸法がコンパクトとなり設置効率を更に改善することができる。
【０１２４】
また、上述した各実施形態の遮光フィン９（或いは９ａ）を室内側に配置したロールスクリーンを構成する際に、前述した図１６（ｂ）に示したように、取付フレーム２に支持せず各支持部材２ａ，２ｂに支持させてもよい。より具体的には、各支持部材２ａ，２ｂの丸孔状の軸支持部２４に円柱軸２５を支持させて、この円柱軸２５に遮光フィン９の軸部９１を軸支させても、上述した第７実施形態の遮光フィン９の作用・効果を発揮させることができる。
【０１２５】
尚、遮光フィン９を取付フレーム２や支持部材２ａ，２ｂに対して直接的又は間接的に回動可能に支持するよう構成することができる。例えば、図２３（ａ）に示すように、間接支持の一例として、遮光フィン９を各支持部材２ａ，２ｂの軸支持部２４に対し回動可能に支持しつつ取付フレーム２により遮光フィン９の軸部９１下面側を支持し、遮光フィン９中央部（遮蔽部９３）に対する撓みを阻止するよう構成してもよい。より具体的には、取付フレーム２の前端縁下方に、遮光フィン９上部の円柱状の軸部９１に沿う円弧状に突出する回動規制片２０ａを設けて遮光フィン９の軸部９１を支持し、遮光フィン９の軸部９１に円柱軸２５ａを一体化させて各支持部材２ａ，２ｂの丸孔状の軸支持部２４に回動可能に支持させる形態とすることもできる。
【０１２６】
或いは、間接支持の別例として、図２３（ｂ）に示すように、取付フレーム２に固定されるブラケット６に回動支持部６０を設け、遮光フィン９を回動可能に支持してもよい。より具体的には、ブラケット６ａの室内側端部に下方が一部開放した凹状の回動支持部６０を設け、遮光フィン９の上端（軸部９１）を円柱状として所定角度回転可能に支持することができる。このようなブラケット６ａを取付フレーム２の複数個所で嵌合し各ブラケット６ａに遮光フィン９を支持することが好ましい。ブラケット６ａは天井面等の躯体に固定するためのブラケット６と兼ねてもよいし、この躯体に固定する為のブラケット６とは別の部材としてもよい。
【０１２７】
尚、遮光フィン９の直接支持の別例として、図２３（ｃ）に示すように、軸受部２０の形状を取付フレーム２から延びる丸軸で形成し、この丸軸の軸受部２０を掴持して軸支させるよう遮光フィン９の軸部９１を形成することもできる。
【０１２８】
このように、遮光フィン９を巻取パイプ３の前後方向にて操作コード７の引き操作を行なう側に設け、取付フレーム２や支持部材２ａ，２ｂに対して直接的又は間接的に回動可能に支持し、該引き操作時に操作コード７が遮光フィン９と当接したとき当該操作コード７のテンションにより回動するよう構成することで、引き操作に要する負荷も大きく増大させることなく、遮光機能を作用させることができる。特に、遮光フィン９の生地接触部（曲面状隆起部）９４は、その曲面状に隆起させた形状とすることで、操作コード７が遮光フィン９と当接しても、その摩擦抵抗を軽減させることができる。そして、遮光フィン９を操作プーリー８の少なくとも一部を覆うよう設けることで、その意匠性を向上させることができる。尚、第７実施形態で示した形態は先の実施形態にも適用できるものである。
【産業上の利用可能性】
【０１２９】
本発明によれば、巻取パイプと取付フレームとの間で生じる隙間からの光漏れを効果的に遮蔽することができる遮光フィンを構成できるので、任意の形態のロールスクリーンの用途に有用である。
【符号の説明】
【０１３０】
１，１ａ，１ｂ，１ｃ，１ｄ，１ｅ，１ｆ  ロールスクリーン
２  取付フレーム
２ａ，２ｂ  支持部材
３  巻取パイプ
４  スクリーン
５，５ａ  ウェイトバー
７  操作コード
８  操作プーリー
９，９ａ，９ｂ，９ｃ，９ｄ  遮光フィン
１０  サイドカバー
１０ａ  壁部
２０  軸受部
２０ａ，２０ｂ  回動規制片
９１，９１ａ  軸部
９２， ９２ａ  曲部
９３， ９３ａ  遮蔽部
９４，９４ａ  生地接触部
９５，９５ａ  干渉緩和部
９６，９６ａ  先端部
８０  回動規制部
８１  回動減速部
【図１】
2020041421.tif 000003
【図２】
2020041421.tif 000004
【図３】
2020041421.tif 000005
【図４】
2020041421.tif 000006
【図５】
2020041421.tif 000007
【図６】
2020041421.tif 000008
【図７】
2020041421.tif 000009
【図８】
2020041421.tif 000010
【図９】
2020041421.tif 000011
【図１０】
2020041421.tif 000012
【図１１】
2020041421.tif 000013
【図１２】
2020041421.tif 000014
【図１３】
2020041421.tif 000015
【図１４】
2020041421.tif 000016
【図１５】
2020041421.tif 000017
【図１６】
2020041421.tif 000018
【図１７】
2020041421.tif 000019
【図１８】
2020041421.tif 000020
【図１９】
2020041421.tif 000021
【図２０】
2020041421.tif 000022
【図２１】
2020041421.tif 000023
【図２２】
2020041421.tif 000024
【図２３】
2020041421.tif 000025